(57)【要約】【課題】重心が偏っているブリスターパック製品等の被包装製品を包装容器内に収納する際に、輸送の際などに包装容器が振動しても内部の被包装製品が整列を維持することができる包装容器を提供する。【解決手段】収容容器２０の収容空間２６内に被包装製品１８を収容した状態で、当該状態で前記側部フラップ３４を、その第１の罫線３２に近い第２の罫線３６から山折りすることによって、前記側部フラップ３４の第１の罫線３２と第２の罫線３６との間の部分で前記被包装製品１８のベース部１６の上端部１６ａに当接できるようにすると共に、前記側部フラップ３４の第３の罫線３８を谷折りすることによって、側部フラップ３４の第３の罫線３８から先の部分を被包装製品１８の膨出部３０外壁の上端部３０ａに当接させて前記被包装製品１８の包装容器２０内での移動を制止する。【選択図】図１
2009154909.tif 000002
【特許請求の範囲】
【請求項１】
底面部および４つの側壁部で囲んだ収容空間の上方開口部を、一体または別体の蓋部材で開閉する包装容器であって、板状に拡がったベース部とそのベース部の一部面から厚さ方向に膨出して内部に製品を収納する膨出部とを有した被包装製品を複数個、そのベース部の面方向が、対向する側壁部にほぼ平行方向になるように整列させて前記収容空間内に収容する包装容器において、
前記被包装製品の整列方向側端の側壁部の上端縁に、山折り用の第１の罫線を介して側部フラップを延設し、この側部フラップに前記第１の罫線に平行に第２の罫線および第３の罫線を設けており、
前記収容空間内に被包装製品を収容した状態で、被包装製品は膨出部外壁の上端部がベース部の上端部よりも低い位置に形成されていて、
当該状態で前記側部フラップを、その第１の罫線に近い第２の罫線から山折りすることによって、前記側部フラップの第１の罫線と第２の罫線との間の部分で前記被包装製品のベース部の上端部に当接できるようにすると共に、
前記側部フラップの第３の罫線を谷折りすることによって、側部フラップの第３の罫線から先の部分を被包装製品の膨出部外壁の上端部に当接させて前記被包装製品の包装容器内での移動を制止するようにしたことを特徴とする包装容器。
【請求項２】
前記被包装製品は、膨出部である樹脂製膜体のドーム状凸部内に製品を収納し、該凸部の収納側開口をベース部である板材で覆って、該製品をその樹脂製膜体と板材との間に固定したブリスターパック製品であることを特徴とする請求項１に記載の包装容器。
【請求項３】
前記被包装製品は、前記収容空間内に前記被包装製品を収容した状態で、ベース部の幅方向の一側に偏倚した膨出部が形成されていることを特徴とする請求項１または２に記載の包装容器。
【請求項４】
前記側部フラップの第２の罫線と第３の罫線との間隔を、前記収容空間内に被包装製品を収容した状態の被包装製品のベース部の上端部から膨出部外壁の上端部までの距離と、同一またはやや長く形成したことを特徴とする請求項１から３のうちの１項に記載の包装容器。
【請求項５】
前記側部フラップの第３の罫線から先端までの間隔を、前記収容空間内に被包装製品を収容した状態の被包装製品の膨出部外壁の突出高さと同一かやや長くしたことを特徴とする請求項１から４のうちの１項に記載の包装容器。
【発明の詳細な説明】
【技術分野】
【０００１】
本発明は複数製品を収容する、複数壁部で構成された包装容器に関する。
【背景技術】
【０００２】
従来、製品を収納して製品の傷や汚れを防ぐ包装容器にはボール紙等の板紙で組み立てられた包装箱がある。
【０００３】
包装箱において、整列し難い複数個の製品を整列させて収納するため、包装箱のフラップに切り込みを入れたり、フラップの折り込みを工夫したりして製品を固定させるものがみられる。
【０００４】
従来、この種の包装箱に、直方体容器製品や包装された電機製品（被包装製品）を整列させて収納するようにしたものがある。
【０００５】
例えば特開２０００−６９５６号（特許文献１）では、直方体の被包装製品を整列して収容する包装容器であって製品同士の間に緩衝材を挿入するのでは無く、上側フラップの先端部の折り目までを仕切り片として、その仕切り片を壁側から一番目と二番目の製品の間に差込んで、ガタツキを無くして製品の損傷を防ぐようにしている包装容器を開示している。
【０００６】
また、実開平２−６９８２１号（特許文献２）および実公平４−５４０９４号（特許文献３）では、図５に示すように、包装箱ａの短片側のフラップｂ先端部に二つの折り目ｃ１，ｃ２を設け、先端側折り目ｃ１まで切り込みｄを入れることによって先端部に被包装製品ｅの製品厚の整数倍の幅の舌片ｆを形成し、その舌片ｆで当該被包装製品ｅを厚さ方向から押えて包装箱ａ内での被包装製品ｅのガタツキことを防止している点を開示している。
【０００７】
また、特開２００１−３１０６４号（特許文献４）および特開平１０−１０１０５９号（特許文献５）では、図６に示すように、収納容器（包装箱）ｇの長片側のフラップｈの折り目までの先端部ｈ１に切り込みまたは孔部ｉを設けて、その切り込みまたは孔部ｉによって被包装製品ｊの上端部を差込むなどして係合し、収容容器ｇ内に収納している被包装製品ｊが動かないよう保持する収容容器（収容箱）を開示している。
【０００８】
上記の被包装製品は、製品を小箱や樹脂容器に収めたものであるが、被包装製品には、図７に示す比較例のように、スプレー製品や容器製品等の中身の製品１０を、その外形に合わせて凸部１２を成形した薄板状の透明樹脂体１４で包み（凸部１２内に収容する）、製品１０を台紙からなるベース部１６上に載せてベース部１６と透明樹脂体１４によって包装固定したブリスターパック製品がある。図７の（ａ）は包装前を、同（ｂ）は包装後のブリスターパック製品の状態をそれぞれ示している。
【０００９】
ブリスターパック製品は、図７に示すもののように、店頭展示性の点からベース部１６部分の方が収納する製品よりも大きな面積を有し、当該製品１０はベース部１６の中心部や一方の側に偏心して収納される場合がある。このようなブリスターパック製品を包装箱に整列して装填しても輸送中の振動や落下衝撃によって包装箱内でブリスターパック製品がバラバラになってしまっていた。
【００１０】
そのため、ブリスターパック製品を店頭で展示する場合、特に包装箱（内装箱）の底部を残して展示する場合には、製品が整列せずにバラバラの状態であるため見苦しく、店頭効果を低下させることがあり、また、再度店頭で整列させる手間を生じたりするため改善する要請が高かった。
【００１１】
しかしながら、上記従来技術では、ブリスターパック製品を包装箱に収納するときに位置をずれないように固定することができず、ガタツキを無くすことができないという問題点を有していた。
【特許文献１】特開２０００−６９５６号公報
【特許文献２】実開平２−６９８２１号公報
【特許文献３】実公平４−５４０９４号公報
【特許文献４】特開２００１−３１０６４号公報
【特許文献５】特開平１０−１０１０５９号公報
【発明の開示】
【発明が解決しようとする課題】
【００１２】
本発明は、斯かる実情に鑑み、重心が偏っているブリスターパック製品等の被包装製品を包装容器内に収納する際に、輸送の際などに包装容器が振動しても内部の被包装製品が整列を維持することができる包装容器を提供しようとするものである。
【課題を解決するための手段】
【００１３】
本発明は包装容器に係り、底面部および４つの側壁部で囲んだ収容空間の上方開口部を、一体または別体の蓋部材で開閉する包装容器であって、板状に拡がったベース部とそのベース部の一部面から厚さ方向に膨出して内部に製品を収納する膨出部とを有した被包装製品を複数個、そのベース部の面方向が、対向する側壁部にほぼ平行方向になるように整列させて前記収容空間内に収容する包装容器において、
前記被包装製品の整列方向側端の側壁部の上端縁に、山折り用の第１の罫線を介して側部フラップを延設し、この側部フラップに前記第１の罫線に平行に第２の罫線および第３の罫線を設けており、
前記収容空間内に被包装製品を収容した状態で、被包装製品は膨出部外壁の上端部がベース部の上端部よりも低い位置に形成されていて、
当該状態で前記側部フラップを、その第１の罫線に近い第２の罫線から山折りすることによって、前記側部フラップの第１の罫線と第２の罫線との間の部分で前記被包装製品のベース部の上端部に当接できるようにすると共に、
前記側部フラップの第３の罫線を谷折りすることによって、側部フラップの第３の罫線から先の部分を被包装製品の膨出部外壁の上端部に当接させて前記被包装製品の包装容器内での移動を制止するようにしたことを特徴とする包装容器である。
【００１４】
本発明においては、前記被包装製品は、膨出部である樹脂製膜体のドーム状凸部内に製品を収納し、該凸部の収納側開口をベース部である板材で覆って、該製品をその樹脂製膜体と板材との間に固定したブリスターパック製品であることが好適である。
【００１５】
本発明においては、前記被包装製品は、前記収容空間内に前記被包装製品を収容した状態で、ベース部の幅方向の一側に偏倚した膨出部が形成されていることが好適である。
【００１６】
本発明においては、前記側部フラップの第２の罫線と第３の罫線との間隔を、前記収容空間内に被包装製品を収容した状態の被包装製品のベース部の上端部から膨出部外壁の上端部までの距離と、同一またはやや長く形成したことが好適である。
【００１７】
本発明においては、前記側部フラップの第３の罫線から先端までの間隔を、前記収容空間内に被包装製品を収容した状態の被包装製品の膨出部外壁の突出高さと同一かやや長くしたことが好適である。
【発明の効果】
【００１８】
本発明の請求項１〜５記載の包装容器によれば、包装容器において、側部フラップを、その第１の罫線に近い第２の罫線から山折りすることによって、前記側部フラップの第１の罫線と第２の罫線との間の部分で前記被包装製品のベース部の上端部に当接できるようにすると共に、前記側部フラップの第３の罫線を谷折りすることによって、側部フラップの第３の罫線から先の部分を被包装製品の膨出部外壁の上端部に当接させて当該被包装製品の包装容器内での移動を制止するようにしたので、ブリスターパック製品等の被包装製品を包装容器内に収容した際に、輸送の際などに包装容器が振動しても内部の被包装製品の整列を維持させて取り扱いができる。
【００１９】
したがって、輸送の際等に振動によって内部の被包装製品が凹みや傷などの不具合が生じることがない。また、必要場所で蓋部材を開封して包装容器を開ければ、収容していた被包装製品は見映え良く整列状態になっているので、内部の被包装製品を再度整列させる必要がなく、店頭展示等のディスプレイとして即時に対応させることができるので、作業負荷を軽減させることができる。
【００２０】
本発明において、被包装製品がブリスターパック製品であれば、包装容器内で振動によってバラツキやすいので最も適切である。
【００２１】
また、包装容器内に収容する被包装製品は、前記収容空間内に前記被包装製品を収容した状態で、ベース部の幅方向の一側に偏倚した膨出部が形成されているものであることが極めて適切である。上記のようにベース部の幅方向の一側に偏倚した膨出部が形成されている被包装製品は、従来技術によっては、ベース部の中央部に膨出部のある被包装製品に比較して輸送の際などの振動によって被包装製品が極めてバラツキやすいが、このような被包装製品であっても本発明は確実に整列状態を維持するものである。
【００２２】
また、本発明において、側部フラップの第２の罫線と第３の罫線との間隔を、包装容器内に被包装製品を収容した状態の被包装製品のベース部の上端部から膨出部外壁の上端部までの距離と、同一またはやや長く形成すれば、側部フラップの第２の罫線と第３の罫線との間の部分が一の被包装製品の膨出部外壁上端を押え込むので、被包装製品のガタツキを一層防止できる。
【００２３】
本発明においては、側部フラップの第３の罫線から先端までの間隔を、収容空間内に被包装製品を収容した状態の被包装製品の膨出部外壁の突出高さと同一かやや長くすれば、包装容器内で整列している状態の被包装製品の板材同士の間隔がこの膨出部外壁高さに対応するため、膨出部外壁が隣接するベース部に当たって変形することを確実に防止でき、ガタツキを防止しつつ収容されている被包装製品の破損防止や品質維持をすることができるという効果を奏し得る。
【発明を実施するための最良の形態】
【００２４】
以下、本発明の実施の形態を添付図面を参照して説明する。
【００２５】
図１〜図４は本発明の実施形態の一例であって、図中、図７と同一の符号を付した部分は同様である。
【００２６】
図１は、被包装製品１８としてのブリスターパック製品収容状態の実施形態に係る包装容器２０の外観斜視図、図２は該収容状態の包装容器２０の平面視図、図３は該収容状態の包装容器２０の図１のＡ−Ａ線に沿う縦断面拡大視図、図４は包装容器２０の展開図である。
【００２７】
実施形態に係る包装容器２０は、図１〜図３に示すように、底面部２２および４つの側壁部２４ａ〜２４ｄで囲まれた収容空間２６の上方開口部２６ａを、１つの側壁部２４ａの上端縁から延設された開口部閉塞用フラップ（蓋部材の一例）２８によって開閉するものであって、板状に拡がった台紙等のベース部１６とそのベース部１６の一部面から厚さ方向に膨出して内部に製品１０を収納する膨出部３０とを有した被包装製品１８を複数個、そのベース部１６の面方向が、対向する側壁部２４ｂ、２４ｄにほぼ平行方向になるように整列させて前記収容空間２６内に収容する包装容器２０に係るものである。
【００２８】
前記被包装製品１８は、前述の図７に示したものと同様のブリスターパック製品としており、同様部分に同一符号を付している。膨出部３０は樹脂製膜体（透明性膜体の例）１４から一体に突出形成されている。前記被包装製品１８は、膨出部３０である樹脂製膜体１４のドーム状凸部１２内にエアゾール製品やスクイズ製品等の製品１０を収納し、該凸部１２の下側の収納側開口３０ｂ（図３参照）をベース部１６である台紙（板材の例）で覆って、該製品１０をその樹脂製膜体１４とベース部１６との間に固定したブリスターパック製品である。
【００２９】
なお、樹脂製膜体１４の材質としては、ＰＰ（ポリプロピレン）、ＰＥ（ポリエチレン）、ＰＥＴ（ポリエチレンテレフタレート）、ＰＳ（ポリスチレン）等が好ましい。着色の有無、透明、半透明、被透明であるかは製品１０のディスプレイ性で決定できる。各種成形技術によって上記膨出部３０を樹脂形成したものが好ましい。その他、膨出部３０は、樹脂材以外の紙類シートを折って箱状に形成したものとすることができる。
【００３０】
また、ベース部１６の台紙は、実施形態では、ボール紙などの厚紙類であるが、樹脂シートとして、ＰＰ（ポリプロピレン）、ＰＥ（ポリエチレン）、ＰＥＴ（ポリエチレンテレフタレート）、ＰＳ（ポリスチレン）等を用いることができる。
【００３１】
詳しく説明する。前記包装容器２０では、前記被包装製品１８の整列方向側端の側壁部２４ｂ、２４ｄの上端縁に、山折り用の第１の罫線３２を介して側部フラップ３４を延設し、この側部フラップ３４に前記第１の罫線３２に平行に第２の罫線３６および第３の罫線３８を設けている。
【００３２】
上記包装容器２０は一枚の板紙から形成され展開すると図４に示すとおりである。底面部２２は側壁部２４ａ，２４ｃに山折り罫線４０を経由して繋がった組み合わせ半体２２ａ、２２ｂと、他の側壁部２４ｂ、２４ｄに山折り罫線４２を経由して繋がった糊代フラップ４２ａ、４２ｂとを糊付けして互い組み合わせて底面部２２を構成する。側壁部２４ａ側辺には、他の側壁部２４ｂに連接させるための糊代４４が延設されている。
なお、各折り線は折りやすくするため破線状にミシン線や押圧（凹み）線を適宜に形成できる。また、包装容器２０には、店頭展示用に、包装容器の上半部を開口しながら取り去るための切り取り用ミシン線４６が穿孔されている。
【００３３】
前記収容空間２６内に被包装製品１８を収容した状態で、被包装製品１８は膨出部３０外壁の上端部３０ａがベース部１６の上端部１６ａよりも低い位置に形成されている。
【００３４】
当該状態で前記側部フラップ３４を、その第１の罫線３２に近い第２の罫線３６から山折りすることによって、前記側部フラップ３４の第１の罫線３２と第２の罫線３６との間の部分で前記被包装製品１８のベース部１６の上端部１６ａに当接できるようにする。それと共に、前記側部フラップ３４の第３の罫線３８を谷折りすることによって、側部フラップ３４の第３の罫線３８から先の部分を被包装製品１８の膨出部３０外壁の上端部３０ａに当接させて、前記被包装製品１８の包装容器２０内での移動を制止するようにしたものである。
【００３５】
なお、前記被包装製品１８は、前記収容空間２６内に前記被包装製品１８を収容した状態で、図２に示すように、ベース部１６の幅方向の一側に偏倚した膨出部３０が形成されている。被包装製品１８の詳細構成は前記図７に示した被包装製品１８と同様である。
【００３６】
また、前記側部フラップ３４の第２の罫線３６と第３の罫線３８との間隔を、前記収容空間２６内に被包装製品１８を収容した状態の被包装製品１８のベース部１６の上端部１６ａから膨出部３０外壁の上端部３０ａまでの距離と、同一またはやや長く形成している。
【００３７】
また、前記側部フラップ３４の第３の罫線３８から先端までの間隔を、前記収容空間２６内に被包装製品１８を収容した状態の被包装製品１８の膨出部３０外壁の突出高さと同一かやや長くしたものである。
【００３８】
実施形態の包装容器２０によれば、側部フラップ３４を、その第１の罫線３２に近い第２の罫線３６から山折りすることによって、前記側部フラップ３４の第１の罫線３２と第２の罫線３６との間の部分で前記被包装製品１８のベース部１６の上端部１６ａに当接できるようにすると共に、前記側部フラップ３４の第３の罫線３８を谷折りすることによって、側部フラップ３４の第３の罫線３８から先の部分を被包装製品１８の膨出部３０外壁の上端部３０ａに当接させて当該被包装製品１８の包装容器２０内での移動を制止するようにしたので、ブリスターパック製品等の被包装製品１８を包装容器２０内に収容した際に、輸送の際などに包装容器２０が振動しても内部の被包装製品１８の整列を維持させて取り扱いができる。
【００３９】
したがって、実施形態の包装容器によれば、輸送の際等に振動によって内部の被包装製品１８が凹むや傷などの不具合が生じることがない。
また、必要場所で蓋部材を開封して包装容器２０を開ければ、収容していた被包装製品１８は見映え良く整列状態になっているので、内部の被包装製品１８を再度整列させる必要がなく、例えば前記図４に示した切り取りミシン線４６によって収容容器２０の上半部を取り去り被包装製品１８を露出することによって、店頭展示等のディスプレイとして即時に対応させることができるので、作業負荷を軽減させることができる。
【００４０】
また、実施形態では、被包装製品１８がブリスターパック製品であれば、包装容器２０内で振動によってバラツキやすいが、上記の側部フラップ３４で被包装製品１８を確実に押えることができ、最も適切である。
【００４１】
また、包装容器２０内に収容する被包装製品１８は、前記収容空間２６内に前記被包装製品１８を収容した状態で、ベース部１６の幅方向の一側に偏倚した膨出部３０が形成されているものであることが極めて適切である。上記のようにベース部１６の幅方向の一側に偏倚した膨出部３０が形成されている被包装製品１８は、従来技術によっては、ベース部１６の中央部に膨出部３０のある被包装製品１８に比較して輸送の際などの振動によって被包装製品１８が極めてバラツキやすいが、このような被包装製品１８に対して特に本実施形態は確実に整列状態を維持できるものである。
【００４２】
また、側部フラップ３４の第２の罫線３６と第３の罫線３８との間隔を、包装容器２０内に被包装製品１８を収容した状態の被包装製品１８のベース部１６の上端部１６ａから膨出部３０外壁の上端部３０ａまでの距離と、同一またはやや長く形成すれば、側部フラップ３４の第２の罫線３６と第３の罫線３８との間の部分が一の被包装製品１８の膨出部３０外壁上端部３０ａを押え込むので、被包装製品１８のガタツキを一層防止できる。
【００４３】
また、側部フラップ３４の第３の罫線３８から先端までの間隔を、収容空間２６内に被包装製品１８を収容した状態の被包装製品１８の膨出部３０外壁の突出高さと同一かやや長くすれば、包装容器２０内で整列している状態の被包装製品１８の板材同士の間隔がこの膨出部３０外壁高さに対応するため、膨出部３０外壁が隣接するベース部１６に当たって変形することを確実に防止でき、ガタツキを防止しつつ収容されている被包装製品１８の破損防止や品質維持をすることができる。
【００４４】
尚、本発明の包装容器は、上記した実施の形態に限定されるものではなく、本発明の要旨を逸脱しない範囲内において種々変更を加え得ることは勿論である。被包装製品１８は、ブリスターパック製品が好ましいが、紙類やシート類を折り畳んで、ベース部１６と膨出部３０を一体に形成して製品を包装した箱製品とすることもできる。
【００４５】
また、蓋部材として側壁部２４ａから一体に縁設された開口部閉塞用フラップ２８を挙げたが、蓋部材は、側壁部と別体に蓋を設けて収容容器開口を覆うようにしても良い。
【図面の簡単な説明】
【００４６】
【図１】本発明の実施形態に係る、被包装製品としてのブリスターパック製品収容状態の包装容器の外観斜視図である。
【図２】前記収容状態の包装容器の平面視図である。
【図３】前記収容状態の包装容器の図１のＡ−Ａ線に沿う縦断面拡大視図である。
【図４】実施形態に係る包装容器の展開図である。
【図５】従来の被包装製品の収容容器の説明図である。
【図６】従来の収容容器の他の例の説明図である。
【図７】一般的なブリスターパック製品の説明図である。
【符号の説明】
【００４７】
１０  製品
１２  凸部
１４  樹脂製膜体
１６  ベース部
１６ａ  ベース部の上端部
１８  被包装製品
２０  包装容器
２２  底面部
２２ａ、２２ｂ  底面部の組み合わせ半体
２４ａ〜２４ｄ  側壁部
２６  収容空間
２６ａ  収容空間の上方開口部
３０  膨出部
３０ａ  膨出部外壁の上端部
３０ｂ  収納側開口
３２  第１の罫線
３４  側部フラップ
３６  第２の罫線
３８  第３の罫線
４０  山折り罫線
４２  山折り罫線
４２ａ、４２ｂ  底面部の糊代フラップ
４４  糊代
【図１】
2009154909.tif 000003
【図２】
2009154909.tif 000004
【図３】
2009154909.tif 000005
【図４】
2009154909.tif 000006
【図５】
2009154909.tif 000007
【図６】
2009154909.tif 000008
【図７】
2009154909.tif 000009